【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
プロジェクションシステム用の装置であって、
第１の光源からの光を受光する第１のライトパイプと、
第２の光源からの光を受光する第２のライトパイプと、
第１および第２の入力ポートならびに第１および第２の出力ポートを有する偏光ビームスプリッタと、
前記第１の出力ポートに光学的に結合されている偏光回転子と、
前記偏光回転子に光学的に結合され、前記偏光回転子からの光を方向付ける反射素子と
を備え、
前記第１および第２のライトパイプはそれぞれ、前記第１および第２の入力ポートに光学的に結合されている装置。
【請求項２】
前記第１および第２のライトパイプのうち少なくとも一方は、第１のテーパー状ステージおよび第２のテーパー状ステージを有する請求項１に記載の装置。
【請求項３】
前記第１および第２のテーパー状ステージの断面積は、断面平面に対して垂直な軸に沿って減少していき、前記第１のテーパー状ステージの断面積の単位長さ当たりの減少率は、前記第２のテーパー状ステージの断面積の単位長さ当たりの減少率よりも高い請求項２に記載の装置。
【請求項４】
前記偏光回転子は、偏光状態を直交する偏光状態に回転させる請求項１から３の何れか１項に記載の装置。
【請求項５】
前記偏光回転子は、半波長板である請求項１から４の何れか１項に記載の装置。
【請求項６】
前記反射素子は、プリズムおよびミラーのうちいずれかである請求項１から５の何れか１項に記載の装置。
【請求項７】
変調パネルと、
前記変調パネルに向けて光を方向付けるテレセントリック光学リレーと
をさらに備える請求項１から６の何れか１項に記載の装置。
【請求項８】
第１のレンズアレイと、
第２のレンズアレイと、
コンデンサレンズと、
変調パネルと
をさらに備え、
前記第１および第２のレンズアレイならびに前記コンデンサレンズは前記変調パネルに向けて光を方向付ける請求項１から７の何れか１項に記載の装置。
【請求項９】
前記第２の出力ポートおよび前記反射素子に光学的に結合され、光路上の光を方向付ける第１のレンズアレイと、
前記光路上に配置されるコンデンサレンズと、
前記光路上の、前記第１のレンズアレイと前記コンデンサレンズとの間に配置される第２のレンズアレイと
をさらに備え、
前記コンデンサレンズは変調パネルに向けて光を方向付ける請求項１から８の何れか１項に記載の装置。
【請求項１０】
前記第２の出力ポートおよび前記反射素子に光学的に結合され、光路上の光を方向付けるコンデンサレンズと、
前記光路上に配置され、変調パネルに向けて光を方向付けるテーパー状出力ライトパイプと
をさらに備える請求項１から９の何れか１項に記載の装置。
【請求項１１】
前記第２の出力ポートおよび前記反射素子に光学的に結合され、光路上の光を方向付けるコンデンサレンズと、
前記光路上に配置され、変調パネルに向けて光を方向付ける視野レンズと
をさらに備える請求項１から１０の何れか１項に記載の装置。
【請求項１２】
前記反射素子は、光路上の光を、前記第２の出力ポートから出射する光に対して平行になるように方向付ける請求項１から１１の何れか１項に記載の装置。
【請求項１３】
プロジェクションシステム用の装置であって、
第１の光源からの光を受光する第１のライトパイプと、
第２の光源からの光を受光する第２のライトパイプと、
第１および第２の入力ポートならびに第１および第２の出力ポートを有する偏光ビームスプリッタと、
前記第１のライトパイプおよび前記第１の入力ポートに光学的に結合され、前記第１のライトパイプと前記第１の入力ポートとの間に配置される第１の４分の１波長板と、
前記第２のライトパイプおよび前記第２の入力ポートに光学的に結合され、前記第２のライトパイプと前記第２の入力ポートとの間に配置される第２の４分の１波長板と、
前記第１の出力ポートに配置され、前記第１の入力ポートに向けて光を反射する反射素子と
を備える装置。
【請求項１４】
前記第２の出力ポートおよび前記反射素子に光学的に結合されている第１の端部を有する第３のライトパイプ
をさらに備え、
前記第３のライトパイプは第２の端部に光を透過させる
請求項１から１３の何れか１項に記載の装置。
【請求項１５】
前記第１の光源から発光され前記第３のライトパイプから出射する光の偏光状態は、前記第２の光源から発光され前記第３のライトパイプから出射する光に対して直交している請求項１４に記載の装置。
【請求項１６】
前記第２の端部から延伸している光路に配置されるカラーセレクトフィルタ
をさらに備え、
前記カラーセレクトフィルタは、第１の軸に沿って加法色スペクトルを偏光して、第２の軸に沿って対応する補色スペクトルを偏光する請求項１４に記載の装置。
【請求項１７】
前記第２の出力ポートに配置されるカラーセレクトフィルタ
をさらに備え、
前記カラーセレクトフィルタは、第１の軸に沿って加法色スペクトルを偏光して、第２の軸に沿って対応する補色スペクトルを偏光する請求項１から１６の何れか１項に記載の装置。
【請求項１８】
前記第３のライトパイプから延伸する光路に配置される切り替え可能な半波回転子をさらに備える、請求項１４に記載の装置。
【請求項１９】
前記第１および第２の光源は同様の色のスペクトルを出力し、前記第１の光源のデューティーサイクルは前記第２の光源のデューティーサイクルの逆数である請求項１８に記載の装置。
【請求項２０】
前記第１の光源および前記第２の光源からの光は、前記半波回転子の駆動位相に基づいて選択される請求項１８に記載の装置。
【請求項２１】
前記第１および第２の光源は発光ダイオードを有する請求項１から２０の何れか１項に記載の装置。
【請求項２２】
前記第１の光源は、加法色スペクトルを出力し、前記第２の光源は、前記加法色スペクトルに対して補色となるスペクトルを出力する請求項１から２１の何れか１項に記載の装置。
【請求項２３】
前記第１および第２のライトパイプはテーパー状である請求項１から２２の何れか１項に記載の装置。
【請求項２４】
テーパー状の前記第１および第２のライトパイプの断面積は、前記光源側の端部の方が小さい請求項２３に記載の装置。
【請求項２５】
プロジェクションシステム用の装置であって、
第１の光源からの光を受光する第１のライトパイプと、
第２の光源からの光を受光する第２のライトパイプと、
第１および第２の入力ポートならびに第１および第２の出力ポートを有する偏光ビームスプリッタと、
前記第１の出力ポートに光学的に結合される反射素子と、
前記反射素子から延伸している光路に配置される偏光回転子と
を備え、
前記第１および第２のライトパイプはそれぞれ、前記第１および第２の入力ポートに光学的に結合されている装置。
【請求項２６】
プロジェクションシステム用の装置であって、
第１の光源からの光を受光する第１のライトパイプと、
第２の光源からの光を受光する第２のライトパイプと、
第１の入力ポート、第１の偏光操作ポート、および第１の出力ポートを有する第１の偏光ビームスプリッタと、
第２の入力ポート、第２の偏光操作ポート、および第２の出力ポートを有する第２の偏光ビームスプリッタと、
前記第１および第２の偏光操作ポートに隣接する４分の１波長板と、
前記４分の１波長板に隣接する反射素子と、
前記第１および第２の出力ポートからの光を集光する出力ライトパイプと
を備え、
前記第１の入力ポートが前記第１のライトパイプに光学的に結合されており、
前記第２の入力ポートが前記第２のライトパイプに光学的に結合されている装置。
【請求項２７】
前記第１および第２の偏光ビームスプリッタは、単一の光学素子である請求項２６に記載の装置。
【請求項２８】
前記第１および第２の偏光ビームスプリッタは、別々の光学素子としてパッケージングされており、屈折率整合材によって光学的に互いに結合されている請求項２６に記載の装置。
【請求項２９】
前記第１の偏光ビームスプリッタの第１のビームスプリット界面は、前記第２の偏光ビームスプリッタの第２のビームスプリット界面に直交するように配向されている請求項２６または２７に記載の装置。
【請求項３０】
前記第１のビームスプリット界面は、前記第１の入力ポートからのＳ偏光を前記第１の出力ポートに向けて反射すると共に、Ｐ偏光を前記第２のビームスプリット界面に向けて透過させ、
前記第２のビームスプリット界面は、Ｐ偏光を前記第２の偏光操作ポートに向けて反射する請求項２９に記載の装置。
【請求項３１】
前記第２のビームスプリット界面は、前記第２の入力ポートからのＰ偏光を前記第１の出力ポートに向けて反射すると共に、Ｓ偏光を前記第１のビームスプリット界面に向けて透過させ、
前記第１のビームスプリット界面は、Ｓ偏光を前記第１の偏光操作ポートに向けて反射する請求項２９に記載の装置。
【請求項３２】
前記出力ライトパイプから延伸している光路に配置されるカラーセレクトフィルタ
をさらに備え、
前記カラーセレクトフィルタは、第１の軸に沿って加法色スペクトルを偏光して、第２の軸に沿って対応する補色スペクトルを偏光する請求項２６から３１の何れか１項に記載の装置。
【請求項３３】
前記出力ライトパイプから延伸する光路に配置される切り替え可能な半波回転子をさらに備える、請求項２６から３２の何れか１項に記載の装置。
【請求項３４】
前記第１および第２の光源は同様の色のスペクトルを出力し、前記第１の光源のデューティーサイクルは前記第２の光源のデューティーサイクルの逆数である請求項３３に記載の装置。
【請求項３５】
前記第１の光源および前記第２の光源からの光は、前記半波回転子の駆動位相に基づいて選択される請求項３３に記載の装置。